(57)【要約】【課題】気体と液体とを混合し気液二相流れとして測定対象物に供給する際に、液体流量を目標値に近づけることを可能とすることである。【解決手段】気液二相流れ供給装置２０は、測定対象物である多孔体１２の一方側面に一方端が取り付けられる外側管２２と、外側管２２の内部に軸心を合わせて配置され、多孔体１２の一方側面から任意の離間間隔で一方端が離間されて配置される内側管２４とを有し、内側管２４の他方端から液体を供給し、外側管２２と内側管２４との間の環状管部２６の他方端から気体を供給し、多孔体１２の一方側面と内側管２４の開口との間の空間２８において気体と液体を混合し気液二相流れとして多孔体１２に供給する。この気液二相流れ供給装置２０を用いて、多孔体１２の圧力損失を測定する気液二相流れ評価システムが構成される。【選択図】図２
2008275356.tif 000002
【特許請求の範囲】
【請求項１】
測定対象物の一方側面に一方端が取り付けられる外側管と、
外側管の内部に軸心を合わせて配置され、測定対象物の一方側面から任意の離間間隔で一方端が離間されて配置される内側管と、
を有し、
内側管の他方端から液体を供給し、外側管と内側管との間の環状管部の他方端から気体を供給し、測定対象物の一方側面と内側管の開口との間の空間において気体と液体を混合し気液二相流れとして測定対象物に供給することを特徴とする気液二相流れ供給装置。
【請求項２】
測定対象物である多孔体の一方側面に一方端が取り付けられる外側管と、
外側管の内部に軸心を合わせて配置され、多孔体の一方側面から任意の離間間隔で一方端が離間されて配置される内側管と、
を有し、
内側管の他方端から液体を供給し、外側管と内側管との間の環状管部の他方端から気体を供給し、多孔体の一方側面と内側管の開口との間の空間において気体と液体を混合し気液二相流れとして多孔体に供給することを特徴とする気液二相流れ供給装置。
【請求項３】
測定対象物である多孔体を保持する保持部と、
多孔体の一方側面に設けられ、気体と液体からなる気液二相流れを多孔体に供給する気液二相流れ供給装置と、
多孔体の他方側面に設けられ、気液二相流れ供給装置から供給されて多孔体を透過した流体を流出させる流出管と、
気液二相流れ供給装置における流体圧と流出管における流体圧との差である差圧を圧力損失として検出する手段と、
を備え、
気液二相流れ供給装置は、
多孔体の一方側面に一方端が取り付けられる外側管と、
外側管の内部に軸心を合わせて配置され、多孔体の一方側面から任意の離間間隔で一方端が離間されて配置される内側管と、
を有し、
内側管の他方端から液体を供給し、外側管と内側管との間の環状管部の他方端から気体を供給し、多孔体の一方側面と内側管の開口との間の空間において気体と液体を混合し気液二相流れとして多孔体に供給することを特徴とする気液二相流れ評価システム。
【請求項４】
請求項３に記載の気液二相流れ評価システムにおいて、
気液二相流れ供給装置の環状管部の他方端に乾燥気体流量設定手段を介して接続される乾燥気体供給源と、
気液二相流れ供給装置の内側管の他方端に液体流量設定手段を介して接続され、乾燥気体供給源から供給される乾燥気体の圧力によって液体を供給する液体タンクと、
気液二相流れ供給装置の環状管部の他方端に加湿気体流量設定手段を介して接続され、乾燥気体供給源から供給される乾燥気体を加湿し加湿気体として供給する加湿手段と、
を備えることを特徴とする気液二相流れ評価システム。
【発明の詳細な説明】
【技術分野】
【０００１】
本発明は気液二相流れ供給装置及び気液二相流れ評価システムに係り、特に、気体と液体とを混合し気液二相流れとして測定対象物に供給する気液二相流れ供給装置及びかかる気液二相流れ供給装置を用いた気液二相流れ評価システムに関する。
【背景技術】
【０００２】
気孔を有するポーラスな物質である多孔体は、気体や液体を透過するので、ろ過層や拡散層等として用いられる。このようにろ過層や拡散層等として用いられるものについては、気体や液体がどのように透過するかを評価する必要がある。例えば、多孔体等の測定対象物の一方側を供給側として気体や液体を供給し、他方側を排出側として透過した気体や液体を排出させ、そのときの供給側の圧力と排出側の圧力との差圧を、多孔体等の測定対象物の圧力損失として評価することが行われる。
【０００３】
例えば、特許文献１には、内燃機関の排ガス浄化に用いられるハニカム構造体の圧力損失の評価方法として、気体目標流量と気体流量許容範囲とを設定して気体をハニカム構造体に供給し、そのときのハニカム構造体の気体流入側と気体流出側との間の差圧を測定し、気体流量許容範囲にあるときは気体流量が目標流量でなくても、測定された差圧から気体目標流量における差圧を換算して求めることが開示されている。これにより、気体流量を正確に合わせこまなくても小さい圧力損失を評価できると述べられている。
【０００４】
【特許文献１】特開２００５−１８９１７６号公報
【発明の開示】
【発明が解決しようとする課題】
【０００５】
特許文献１によれば、ハニカム構造体において気体を透過させるときの小さい圧力損失を評価できる。しかし、気体と液体とから構成される気液二相流れが供給される場合には、液体の表面張力等によって供給管等の供給装置の壁面に液体が偏り、液体の流速がゼロとなることが生じやすく、目標の液体流量とならないことがある。また、流れる気体中に水が蒸発することが生じやすく、目標の液体流量とならないことがある。
【０００６】
本発明の目的は、気体と液体とを混合し気液二相流れとして測定対象物に供給する際に、液体流量を目標値に近づけることを可能とする気液二相流れ供給装置を提供することである。他の目的は、気体と液体とを混合し気液二相流れにおいて液体流量を目標値に近づけることを可能とする気液二相流れ評価システムを提供することである。以下の手段は、これらの目的の少なくとも１つに貢献する。
【課題を解決するための手段】
【０００７】
本発明に係る気液二相流れ供給装置は、測定対象物の一方側面に一方端が取り付けられる外側管と、外側管の内部に軸心を合わせて配置され、測定対象物の一方側面から任意の離間間隔で一方端が離間されて配置される内側管と、を有し、内側管の他方端から液体を供給し、外側管と内側管との間の環状管部の他方端から気体を供給し、測定対象物の一方側面と内側管の開口との間の空間において気体と液体を混合し気液二相流れとして測定対象物に供給することを特徴とする。
【０００８】
また、本発明に係る気液二相流れ供給装置は、測定対象物である多孔体の一方側面に一方端が取り付けられる外側管と、外側管の内部に軸心を合わせて配置され、多孔体の一方側面から任意の離間間隔で一方端が離間されて配置される内側管と、を有し、内側管の他方端から液体を供給し、外側管と内側管との間の環状管部の他方端から気体を供給し、多孔体の一方側面と内側管の開口との間の空間において気体と液体を混合し気液二相流れとして多孔体に供給することを特徴とする。
【０００９】
また、本発明に係る気液二相流れ評価システムは、測定対象物である多孔体を保持する保持部と、多孔体の一方側面に設けられ、気体と液体からなる気液二相流れを多孔体に供給する気液二相流れ供給装置と、多孔体の他方側面に設けられ、気液二相流れ供給装置から供給されて多孔体を透過した流体を流出させる流出管と、気液二相流れ供給装置における流体圧と流出管における流体圧との差である差圧を圧力損失として検出する手段と、を備え、気液二相流れ供給装置は、多孔体の一方側面に一方端が取り付けられる外側管と、外側管の内部に軸心を合わせて配置され、多孔体の一方側面から任意の離間間隔で一方端が離間されて配置される内側管と、を有し、内側管の他方端から液体を供給し、外側管と内側管との間の環状管部の他方端から気体を供給し、多孔体の一方側面と内側管の開口との間の空間において気体と液体を混合し気液二相流れとして多孔体に供給することを特徴とする。
【００１０】
また、本発明に係る気液二相流れ評価システムにおいて、気液二相流れ供給装置の環状管部の他方端に乾燥気体流量設定手段を介して接続される乾燥気体供給源と、気液二相流れ供給装置の内側管の他方端に液体流量設定手段を介して接続され、乾燥気体供給源から供給される乾燥気体の圧力によって液体を供給する液体タンクと、気液二相流れ供給装置の環状管部の他方端に加湿気体流量設定手段を介して接続され、乾燥気体供給源から供給される乾燥気体を加湿し加湿気体として供給する加湿手段と、を備えることが好ましい。
【発明の効果】
【００１１】
上記構成の少なくとも１つにより、気液二相流れ供給装置は、測定対象物の一方側面に一方端が取り付けられる外側管と、測定対象物の一方側面から一方端が離間されて配置される内側管とを有する二重管構造であり、内側管の他方端から液体を供給し、外側管と内側管との間の環状管部の他方端から気体を供給し、測定対象物の一方側面と内側管の開口との間の空間において気体と液体を混合し気液二相流れとして測定対象物に供給する。このようにすることで、測定対象物の表面と管壁に液体が偏ることがなく、液体は流速を有して測定対象物に供給され、目標の液体流量に近づけることができる。
【００１２】
なお、測定対象物を多孔体としても、同様に、多孔体の表面と管壁に液体が偏ることがなく、液体は流速を有して多孔体に供給され、目標の液体流量に近づけることができる。
【００１３】
また、上記構成の少なくとも１つにより、気液二相流れ評価システムは、上記の気液二層流れ供給装置を用い、気液二相流れ供給装置における流体圧と流出管における流体圧との差である差圧を圧力損失として検出するので、液体流量を目標値に近づけて、気液二相流れにおける多孔体の圧力損失を評価することができる。
【００１４】
また、気液二相流れ評価システムにおいて、乾燥気体供給源と、乾燥気体供給源から供給される乾燥気体の圧力によって液体を供給する液体タンクと、乾燥気体供給源から供給される乾燥気体を加湿し加湿気体として供給する加湿手段とを備える。これにより、乾燥気体に液体が蒸発することを抑制し、気液二相流れにおいて目標の液体流量に近づけることができる。
【発明を実施するための最良の形態】
【００１５】
以下に図面を用いて、本発明に係る実施の形態につき、詳細に説明する。以下では、測定対象物として、フィルム状の多孔体を説明するが、これは説明のための一例であって、液体を透過する物質であればよい。例えば、気孔を有するポーラスな材料として、多孔質膜あるいは多孔質の焼結材等のほか、半透過膜、中空糸等であってもよい。また、気液二相流れとして、空気と水から構成される流体を説明するが、気体は空気以外のガスであってもよく、液体は水以外のものであってもよい。気液二相流れに、微粒子、土壌、砂、ゴミ等の固体を含んでいてもよい。また、以下における材質等は説明のための一例であって、測定対象物の種類、供給される流体の種類等に応じ、適宜変更が可能である。
【００１６】
図１は、気液二相流れ評価システム１０の構成図である。図２、図３は、気液二相流れ評価システム１０に用いられる気液二相流れ供給装置２０の周辺の構成を説明するための拡大図である。気液二相流れ評価システム１０は、測定対象物に気液二相流れを供給し、測定対象物の両端における圧力損失を評価するシステムである。図１に示される気液二相流れ評価システム１０、図１から図３に示される気液二相流れ供給装置２０は、多孔体１２を測定対象物とし、気液二相流れとして、空気と水から構成される気液二相流体を用いるものである。したがって、図１に示される気液二相流れ評価システム１０は、多孔体内の気液二相流れ評価する機能を有する。
【００１７】
気液二相流れ評価システム１０は、多孔体１２を保持する保持部１４と、気液二相流れを多孔体１２に供給する気液二相流れ供給装置２０と、多孔体１２を透過した流体を流出させる流出管２９と、気液二相流れ供給装置２０における流体圧と流出管２９における流体圧との差である差圧を圧力損失として検出する差圧計１７と、気液二相流れ供給装置２０に接続されて、乾燥気体と加湿器気体とが供給される気体供給路５０と、液体が供給される液体供給路７０とを含んで供給される。
【００１８】
最初に気液二相流れ供給装置２０周辺の構成を説明し、次に、気体供給路５０と液体供給路７０を説明し、ついで気液二相流れ評価システム１０の全体の作用等について説明する。
【００１９】
図２、図３は、気液二相流れ供給装置２０の周辺の構成を説明するためのもので、図２は断面図、図３は斜視図である。ここでは、測定対象物である多孔体１２と、保持部１４と、気液二相流れ供給装置２０と、流出管２９とが示されている。
【００２０】
測定対象物である多孔体１２は、気孔を有し、気体と液体を透過する性質を有する物質から構成される薄膜状フィルムである。
【００２１】
保持部１４は、測定対象物である多孔体１２を保持して任意の配置位置に配置する機能を有するもので、中央部開口を有する円環状の２枚の保持板１３，１５と、シールリング１６と、２枚の保持板１３，１５を合わせて固定するボルト・ナットからなる締結部材１８等を含んで構成される。２枚の保持板１３，１５は、流体の状態を観察できるように、透明な材料で構成されることが好ましい。例えば、アクリル樹脂等を円環状に加工したものを用いることができる。
【００２２】
多孔体１２の大きさは、保持部１４の円環状の中央部開口の大きさよりも小さめに設定される。そして、円環状の中央開口を塞ぐように、２枚の円環状の保持板１３，１５の間に多孔体１２を配置して挟みこみ、適当なシールリング１６を用いながら、ボルト・ナットからなる締結部材１８で固定することで、多孔体１２が保持部１４に保持される。
【００２３】
気液二相流れ供給装置２０は、保持部１４の上面に配置され、多孔体１２に気液二相流れ２１を供給する供給配管である。気液二相流れ供給装置２０は、多孔体１２の一方側面に一方端が取り付けられる外側管２２と、外側管２２の内部に軸心を合わせて配置され、多孔体１２の一方側面から任意の離間間隔で一方端が離間されて配置される内側管２４とを有する二重管である。したがって、外側管２２と内側管２４との間は環状管部２６となっている。外側管２２の一方端と、保持部１４あるいは多孔体１２とが接する部分は、気液二相流れ２１が漏れないように、適当な材料でシールされることが好ましい。
【００２４】
かかる気液二相流れ供給装置２０もまた、流体の状態を観察できるように、透明な材料で構成されることが好ましい。例えば、ガラス管、あるいはアクリル樹脂等から構成される透明パイプを用いることができる。
【００２５】
気液二相流れ供給装置２０において、内側管２４の他方端は、図１で述べた液体供給路７０に接続され、環状管部２６の他方端は、図１で述べた気体供給路５０に接続される。したがって、内側管２４は液体が流れる液体流路であり、環状管部２６は気体が流れる気体流路である。内側管２４は、多孔体１２の一方側面に接していないので、内側管２４の一方端と多孔体１２の一方側面との間には、外側管２２によって規定される空間２８があることになる。内側管２４で規定される液体流路を流れてきた液体は、この空間２８に速度を有して流れ込むことになる。同様に、環状管部２６によって規定される気体流路を流れてきた気体も、内側を規定する内側管２４がその一方端で終了することで内側の規制がなくなり、この空間２８に速度を有して流れ込む。
【００２６】
このように、環状管部２６によって規定される気体流路と、内側管２４によって規定される液体流路とをそれぞれ独立に設け、測定対象物である多孔体１２の一方側面の手前に空間２８を設けることで、気体と液体とがこの空間２８に流れ込む。この空間２８に流れ込む気体と液体とは共に速度を有しているので、効果的に混合され、気体成分も液体成分も速度を有する気液二相流れ２１となる。この観点から、空間２８は、気液混合空間と呼ぶことができる。
【００２７】
このことを、１つの管に気体と液体とを共に流す場合を示す図４と比較すると、その相違がよく理解できる。図４は、１つの管８０に気体（Ｇ）と液体（Ｌ）を流して、多孔体１２に供給する場合の断面図である。１つの管８０に気体と液体とを共に流すと、液体は、その表面張力等の性質によって、管８０の管壁に沿って流れがちとなる。管壁に沿って流れる液体は、管の中央を流れる流体に比べるとその速度が格段に遅くなる。したがって、その低速の液体は、多孔体１２に到達しても多孔体１２を透過することが困難になり、多孔体１２の一方側面に止まってしまう。このようになると、液体（Ｌ）の速度はゼロに近くなり、多孔体１２に供給する液体流量が目標値よりも大幅に少なくなる。
【００２８】
図２、図３の構成においても、内側管２４を流れる液体は、やはり管壁の影響を受け、管壁に沿って流れる成分がある。しかし、内側管２４の一方端は、多孔体１２の一方側面に接していないため、内側管２４の管壁に沿って流れてきた成分も、その一方端で空間２８に放出される。その放出の際の速度は、内側管２４の中央部を流れてきた液体の速度の影響を受けるので、かなりの速度を有することができる。このようにして、内側管２４の一方端を多孔体１２の一方側面から離間して配置することで、速度を有する液体を、空間２８に供給できる。これによって、多孔体１２に供給する液体流量を目標値に近づけることができる。
【００２９】
以上が気液二相流れ供給装置２０周辺の構成の説明である。次に、再び図１に戻り、気体供給路５０と液体供給路７０等の構成を説明する。なお、以下では、必要に応じ、図２、図３の符号を用いて説明する。
【００３０】
上記のように、気液二相流れ供給装置２０の環状管部２６の他方端は、気体供給路５０に接続され、内側管２４の他方端は、液体供給路７０に接続される。
【００３１】
液体供給路７０は、液体タンク７２に収容される液体を気液二相流れ供給装置２０に供給するための流体流路である。液体タンク７２には、乾燥気体供給源４０からレギュレータ４２によって所定の気体圧力に調整された乾燥気体が加圧気体として供給される。すなわち、液体の供給エネルギは、乾燥気体供給源４０からの加圧気体によって与えられ、特別な電動ポンプ等を有しない。なお、加圧気体によって液体タンク７２から押し出される液体の流量は、液体流量設定手段である液体流量計７４の設定によって調整される。図１では、液体流量計７４は、「ＱＬ」として示されている。
【００３２】
ここで、乾燥気体供給源４０は、乾燥空気を圧縮して加圧空気として収容するタンクである。勿論、乾燥窒素等の乾燥ガスを気液二相流れの気体として用いることもでき、その場合には、高圧窒素ボンベ等が乾燥気体供給源４０となる。なお、一般大気をエアーコンプレッサ等で圧縮し、適当な乾燥手段を経由させて、これを乾燥空気として供給することもでき、この場合には、大気、エアーコンプレッサ、乾燥手段等が乾燥気体供給源４０となる。
【００３３】
また、液体タンク７２に収容される液体は、具体的には水である。勿論、水以外の液体、例えば、不凍液、アルコール等を気液二相流れの液体として用いることもでき、その場合には、これらの液体を収容する容器が液体タンク７２に相当する。液体タンク７２には、液体の温度を検出するための温度計が設けられることが好ましい。図１において、温度計は「Ｔ」として示されている。
【００３４】
気体供給路５０は、乾燥気体供給路５２と加湿気体供給路５４とが接続されて構成される。乾燥気体供給路５２は、乾燥気体供給源４０に収容される乾燥気体を気液二相流れ供給装置２０に供給するための流体流路である。乾燥気体の流量は、気体流量設定手段である気体流量計５６の設定によって調整される。図１では、気体流量計５６は、「ＱＧ」として示されている。
【００３５】
加湿気体供給路５４は、加湿器６０によって加湿された加湿気体を気液二相流れ供給装置２０に供給するための流体流路である。加湿気体の流量は、乾燥気体供給路５２と加湿気体供給路５４とにそれぞれ設けられた二方弁の絞りを相互に調整することで行われる。すなわち、乾燥気体供給路５２に設けられた二方弁の開度を大きくし、加湿気体供給路５４に設けられた二方弁の開度を小さくすることで、乾燥気体／加湿気体の比を大きくでき、逆に、乾燥気体供給路５２に設けられた二方弁の開度を小さくし、加湿気体供給路５４に設けられた二方弁の開度を大きくすることで、乾燥気体／加湿気体の比を小さくできる。
【００３６】
加湿器６０は、液体タンクであるが、液体中に乾燥気体が供給され、乾燥気体が液体を通過することで加湿されるものである。このような構造の加湿器６０は、一般的にバブラとして知られているものである。このようなバブラを用いることで、液体加熱用の特別なヒータ等を要せずに、乾燥気体を加湿気体に変換することができる。
【００３７】
このように、加湿気体を適宜気液二相流れ供給装置２０に供給することで、乾燥気体のみが気体として供給される場合に生じる液体の相変化、すなわち、液体が乾燥気体中に蒸発することを抑制することができる。例えば、気体供給路５０から、液体の飽和蒸気圧を有する気体を供給することで、液体の蒸発を防ぎ、これによって、気液二相流れにおいて、液体の蒸発に起因する液体流量の目標値からの低下を抑制することができる。
【００３８】
図１の構成による気体供給路５０と液体供給路７０は、乾燥気体供給源４０の気体圧を有効に用いることができ、電動ポンプ、液体加熱ヒータ等を要しない。したがって、気液二相流れ供給源の構成をコンパクトなものとできる。
【００３９】
このように、気液二相流れ供給装置２０の環状管部２６の他方端に気体供給路５０に接続され、内側管２４の他方端は、液体供給路７０に接続される。そして、気液二相流れ供給装置２０における流体圧と流出管２９における流体圧との差である差圧を圧力損失として検出するために、差圧計１７の一方端が気液二相流れ供給装置２０に接続され、他方端が流出管２９に接続される。図１では、差圧検出手段である差圧計１７は、「ΔＰ」として示されている。また、気液二相流れの供給側には、「Ｔ」として示される温度計、「ＲＨ」として示される湿度計、「Ｐ」として示される圧力計が接続され、流出側、すなわち排出側には、「ＲＨ」として示される湿度計が接続される。
【００４０】
図５は、差圧計によって検出された多孔体の圧力損失ΔＰと、液体（Ｌ）の質量速度である液体質量速度ＧＬの関係について、測定結果を示す図である。ここでは、気体（Ｇ）の質量速度である気体質量速度ＧＧをパラメータとしてある。また、シミュレーションによる計算結果も参考のため示されている。なお、質量速度とは、［質量／（面積×時間）］の次元を有する量で、単位時間、単位面積当たりに流れる質量の大きさを示すものである。図５の結果から、計算結果と測定結果とは比較的一致し、これらの結果から、気液二相流れにおいて、液体質量速度ＧＬが目標値に近い値になっているものと考えることができる。
【００４１】
図６は、流出管側から多孔体の下面側を撮像装置で撮像した画面を示す図である。図６において、撮像画面に映っている要素には、図２、図３で対応する要素の符号を付してある。図６の撮像画面では、多孔体１２から液体が流出し、液滴３０となって落下する様子が示されている。すなわち、多孔体１２の気液二相供給表面に液体が滞留することなく、液体が流出してきていることが分かる。
【図面の簡単な説明】
【００４２】
【図１】本発明に係る実施の形態における気液二相流れ評価システムの構成図である。
【図２】本発明に係る実施の形態において、気液二相流れ供給装置周辺の断面図である。
【図３】本発明に係る実施の形態において、気液二相流れ供給装置周辺の斜視図である。
【図４】従来技術において、気体と液体を流すときの様子を示す図である。
【図５】本発明に係る実施の形態において、多孔体の圧力損失の測定結果を示す図である。
【図６】本発明に係る実施の形態において、多孔体から液体が流出する様子を示す図である。
【符号の説明】
【００４３】
１０  気液二相流れ評価システム、１２  多孔体、１３，１５  保持板、１４  保持部、１６  シールリング、１７  差圧計、１８  締結部材、２０  気液二相流れ供給装置、２１  気液二相流れ、２２  外側管、２４  内側管、２６  環状管部、２８  空間、２９  流出管、３０  液滴、４０  乾燥気体供給源、４２  レギュレータ、５０  気体供給路、５２  乾燥気体供給路、５４  加湿気体供給路、５６  気体流量計、６０  加湿器、７０  液体供給路、７２  液体タンク、７４  液体流量計、８０  管。
【図１】
2008275356.tif 000003
【図２】
2008275356.tif 000004
【図３】
2008275356.tif 000005
【図４】
2008275356.tif 000006
【図５】
2008275356.tif 000007
【図６】
2008275356.tif 000008